(57)【要約】【課題】締め付けトルクを管理することが可能な構造であるにもかかわらず、安価で、一般的なドライバなどの手工具を用いて締結することが可能なボルトを提供する。【解決手段】頭部２と、雄ねじ３を有する軸部４と、前記軸部４に突設された押圧子５と、前記押圧子５を収納する環状の空間６を有するカラー７とを備える。前記カラー７は、前記軸部４が貫通する状態で前記軸部４に回転自在に保持される。カラー７には、前記頭部２に対接する受圧部７ａと、前記軸部４をカラー７に対して回転させたときの前記押圧子５の回転軌跡内に臨む弾性材からなる係合片８とが設けられている。【選択図】  図３
2011117535.tif 000002
【特許請求の範囲】
【請求項１】
頭部と、
この頭部に一端部が接続しかつ他端部に雄ねじが形成された軸部と、
前記軸部に突設された押圧子と、
前記押圧子を収納する環状の空間を有しかつ前記軸部が貫通する状態で前記軸部に回転自在に保持されたカラーとを備え、
前記カラーには、前記頭部に対接する受圧部と、
前記軸部をカラーに対して回転させたときの前記押圧子の回転軌跡内に臨む弾性材からなる係合片とが設けられていることを特徴とするボルト。
【請求項２】
請求項１記載のボルトにおいて、前記カラーは、前記環状の空間を形成する筒状壁を備え、
前記係合片は、前記筒状壁から径方向の内側に延在する板状に形成され、かつ前記筒状壁に一体に形成されていることを特徴とするボルト。
【請求項３】
請求項１または請求項２記載のボルトにおいて、前記カラーは、前記軸部の径方向に分割形成された半部どうしを結合させることによって構成されていることを特徴とするボルト。
【発明の詳細な説明】
【技術分野】
【０００１】
本発明は、締め付けトルクを管理するための機構を備えたボルトに関するものである。
【背景技術】
【０００２】
従来のこの種のボルトとしては、例えば特許文献１に記載されているものがある。
特許文献１に開示されたボルトは、作業者が締め付けたり緩めたりするために回すキャップを備えている。このキャップは、締め付けトルクを制限するためのトルクリミット機構を介して前記ボルトの頭部に取付けられている。
【０００３】
前記トルクリミット機構は、ボルトの頭部に固定されたばね片と、このばね片が係合する前記キャップの係合部とから構成されている。前記ばね片は、ボルトと一体に回転するように、ボルトの頭部に形成された溝に嵌合している。前記キャップは、プラスチックによって形成されており、作業者が把持する外筒と、ボルトの頭部に回転自在に支持されかつ外れ止めとして機能するボスと、前記ばね片が係合する係合部とが一体に形成されている。
【０００４】
これらのばね片と係合部とは、キャップに加えられた回転トルクが前記係合部からばね片を介してボルトに伝達されるように形成されている。このトルクリミット機構は、ボルトを締め付けるトルクが所定値を上回ったときに、前記ばね片が弾性変形して係合部から離れ、トルクの伝達が遮断されるように構成されている。
【０００５】
ところで、屋外に設置される通信機器は、建築物や電信柱などの支持部材に固定用ボルトによって固定されている。この屋外通信機器は、前記支持部材から脱落するようなことがあってはならないものである。このため、前記固定用ボルトを締め付けるときには、締め付けトルクを厳格に管理することが必要である。屋外通信機器を支持部材に取付けるためのの固定用ボルトは、安価であることが必要であるから、ドライバなどの手工具で簡単に締め付けることができるものが用いられている。この固定用ボルトを所定の締め付けトルクで締め付けるためには、トルクドライバが用いられている。
【先行技術文献】
【特許文献】
【０００６】
【特許文献１】実開平７−１０５３７号公報
【発明の概要】
【発明が解決しようとする課題】
【０００７】
前記屋外通信機器を支持部材に取付ける取付作業は、上述したようにトルクドライバを使用しなければならないために、煩わしい作業であった。トルクドライバを使用することなく締め付けトルクを管理するためには、上述した特許文献１に開示されているようなボルトを使用することが考えられる。
【０００８】
しかし、特許文献１に示すボルトは、複雑な形状のキャップとばね片とを使用しているために製造コストが高くなる。このため、このボルトは、通常のドライバで締め付けるような一般的なボルトに較べて高価なものとなるから、前記屋外通信機器の固定用ボルトとして使用することはできない。
【０００９】
本発明はこのような問題を解消するためになされたもので、締め付けトルクを管理することが可能な構造であるにもかかわらず、安価で、一般的なドライバなどの手工具を用いて締結することが可能なボルトを提供することを目的とする。
【課題を解決するための手段】
【００１０】
この目的を達成するために、本発明に係るボルトは、頭部と、この頭部に一端部が接続しかつ他端部に雄ねじが形成された軸部と、前記軸部に突設された押圧子と、前記押圧子を収納する環状の空間を有しかつ前記軸部が貫通する状態で前記軸部に回転自在に保持されたカラーとを備え、前記カラーには、前記頭部に対接する受圧部と、前記軸部をカラーに対して回転させたときの前記押圧子の回転軌跡内に臨む弾性材からなる係合片とが設けられているものである。
【発明の効果】
【００１１】
本発明によれば、前記軸部を雌ねじ側の部材に締め込むことによって、前記カラーが頭部と雌ねじ側の部材とによって挟まれる。このようにカラーが前記両者に挟まれた状態で前記軸部をさらに締め込むと、カラーと雌ねじ側の部材との摩擦によりカラーの回転が規制されるために、カラーに対して軸部が回転する。軸部がカラーに対して回転すると、押圧子がカラーの係合片に当たり、この状態からさらに軸部が締め込まれると、押圧子が係合片を弾性変形させて押し退け、係合片を越えて反対側に移動する。
【００１２】
このとき、このボルトを締め込んでいた作業者は、ボルトから受ける反力が急激に変化するために、いわゆるクリック感を感じる。このため、締め付けトルクが所定値に達したときに作業者に上記クリック感を与えることができるから、締め付けトルクを管理することができるようになる。
【００１３】
また、上記クリック感を作業者に与えるに当たっては、軸部にカラーを装着するだけで安価に実現することができる。さらに、前記頭部は、一般的な手工具が係合できるように形成することが可能である。
したがって、本発明によれば、締め付けトルクを管理することが可能な構造を採っているにもかかわらず、安価で、一般的なドライバなどの手工具を用いて締結することが可能なボルトを提供することができる。
【図面の簡単な説明】
【００１４】
【図１】本発明に係るボルトの基本的な構成を示す断面図である。
【図２】本発明に係るボルトの斜視図で、同図（Ａ）は頭部側から見た状態を示し、同図（Ｂ）はねじ部側から見た状態で描いてある。
【図３】本発明に係るボルトの分解斜視図である。
【図４】要部の断面図で、同図（Ａ）は押圧子が一方の係合片に当接した状態を示し、同図（Ｂ）は押圧子が一方の係合片を越えた状態を示す。
【図５】カラーの第２の半部を取外した状態の要部を示す斜視図で、同図（Ａ）は押圧子が一方の係合片に当接した状態を示し、同図（Ｂ）は押圧子が一方の係合片を越えた状態を示す。
【図６】本発明に係るボルトの使用状態を説明するための断面図で、同図（Ａ）は取付用ボードにボルトを挿通させた状態を示し、同図（Ｂ）は支持部材にボルトを螺着させた状態を示す。
【発明を実施するための形態】
【００１５】
（第１の実施例）
以下、本発明に係るボルトの基本的な構成の一実施例を図１によって詳細に説明する。
図１に示すボルト１は、頭部２と、この頭部２に一端部が接続しかつ他端部に雄ねじ３が形成された軸部４と、前記軸部４に突設された押圧子５と、前記押圧子５を収納する環状の空間６を有しかつ前記軸部４が貫通する状態で前記軸部４に回転自在に保持されたカラー７とを備えている。
【００１６】
前記カラー７には、前記頭部２に対接する受圧部７ａと、前記軸部４をカラー７に対して回転させたときの前記押圧子５の回転軌跡内に臨む弾性材からなる係合片８とが設けられている。
このように構成されたボルト１においては、前記軸部４を雌ねじ側の部材９に締め込むことによって、前記カラー７が頭部２と雌ねじ側の部材９とによって挟まれる。
【００１７】
このようにカラー７が前記両者に挟まれた状態で前記軸部４をさらに締め込むと、カラー７と雌ねじ側の部材９との摩擦によりカラー７の回転が規制されるために、カラー７に対して軸部４が回転するようになる。
前記軸部４がカラー７に対して回転すると、押圧子５がカラー７の係合片８に当たる。そして、この状態から引き続き軸部４が締め込まれると、押圧子５が係合片８を弾性変形させて押し退け、係合片８を越えて移動する。
【００１８】
このとき、このボルト１を締め込んでいた作業者は、ボルト１から受ける反力が急激に変化するために、いわゆるクリック感を感じる。
このため、この実施例によれば、締め付けトルクが所定値に達したときに作業者に上記クリック感を与えることができるから、締め付けトルクを管理することができるようになる。
【００１９】
また、上記クリック感を作業者に与えるに当たっては、押圧子５が予め形成されている軸部４にカラー７を装着するだけで安価に実現することができる。さらに、前記頭部２は、一般的な手工具が係合できるように形成することが可能である。
したがって、この実施例によれば、締め付けトルクを管理することが可能な構造を採っているにもかかわらず、安価で、一般的なドライバなどの手工具を用いて締結することが可能なボルトを提供することができる。
【００２０】
（第２の実施例））
次に、本発明に係るボルトを具体的に示す一実施例を図２〜図６によって詳細に説明する。これらの図において、前記図１によって説明したものと同一もしくは同等の部材については、同一符号を付し詳細な説明を適宜省略する。なお、図２、図３、図５および図６に示す雄ねじは、ねじ山を省略した状態で描いてある。
図２（Ａ），（Ｂ）において、本発明に係るボルトを構成するトルクネジ１１は、頭部２と、この頭部２に一体に形成された軸部４と、この軸部４が貫通する状態で軸部４に回転自在に保持された中空円柱状のカラー７とを備えている。
【００２１】
前記頭部２には、プラスドライバー（図示せず）を係合させるための係合溝１２が形成されている。
前記軸部４は、図３に示すように、その一端部が前記頭部２に接続されるように形成されている。この軸部４の他端部には、雄ねじ３が形成されている。この実施例による雄ねじ３は、ねじ山の数が約１０であり、前記軸部４の先端部にのみ形成されている。また、前記軸部４における前記雄ねじ３と前記頭部２との間の部位は、雄ねじ部分の谷径と同等の太さに形成されている。
【００２２】
前記軸部４における前記頭部２と隣接する部位には、側面視長方形の板状を呈する二つの押圧子５が形成されている。これらの押圧子５は、それぞれ軸部４と一体に形成されており、図３および図４に示すように、軸部４から径方向の一方と他方とに突出するとともに、軸部４の軸線と平行に延在するように形成されている。この実施例によるこれら二つの押圧子５は、前記軸部４の軸心を通る同一平面上に位置するように形成されている。
【００２３】
この実施例によるカラー７は、図３および図４に示すように、前記軸部４の径方向に分割形成された第１、第２の半部１３，１４どうしを結合させることによって構成されている。これらの半部１３，１４どうしは、例えば圧入や溶接によって、軸部４を挟んだ状態で分離することができないように結合されている。
【００２４】
これらの第１、第２の半部１３，１４は、それぞれステンレスバネ材によって所定の形状に形成されている。この実施例による前記両半部１３，１４は、断面半円状の外壁１５，１６と、この外壁１５，１６の両端（カラー７の軸線方向の両端）から径方向の内側に延在する蓋体１７，１８とを備えている。前記第１の半部１３の外壁１５と、第２の半部１４の外壁１６とは、第１の半部１３と第２の半部１４とを結合させた状態で円筒となるように形成されている。この円筒の外径は、前記頭部２の外径と略等しくなるように形成されている。この実施例においては、第１の半部１３の外壁１５と、第２の半部１４の外壁１６とによって、請求項２記載の発明でいう筒状壁７ｂ（図２参照）が構成されている。
【００２５】
前記第１の半部１３の二つの蓋体１７，１８と、第２の半部１４の二つの蓋体１７，１８とは、第１の半部１３と第２の半部１４とを結合させた状態において、図２（Ｂ）に示すように、前記円筒の両端部を塞ぐ円環状の板７ｃとなるように形成されている。この円環状の板７ｃの中央部に形成されている穴の穴径は、前記軸部４の外径より僅かに大きくなるように形成されている。
【００２６】
すなわち、第１、第２の半部１３，１４どうしを結合させることによって形成されたカラー７は、前記蓋体１７，１８によって前記軸部４に回転自在に支持されることになる。この実施例においては、第１、第２の半部１３，１４の蓋体１７，１８のうち、前記頭部２と隣接する蓋体１８によって、本発明でいう受圧部７ａが構成されている。
【００２７】
前記第１の半部１３の外壁１５における第２の半部１４の外壁１６と接続される両端部には、図３および図４に示すように、係合片８がそれぞれ一体に形成されている。これらの係合片８は、長方形の板状に形成されており、前記外壁１６からカラー７の径方向の内側に延在している。また、これらの係合片８は、前記軸部４をカラー７に対して回転させたときの前記押圧子５の回転軌跡５ａ（図３参照）内に臨むように形成されている。
【００２８】
この実施例によるトルクネジ１１を組立てるためには、先ず、押圧子５が形成されている軸部４をカラー７の第１、第２の半部１３，１４で挟み、これら両半部１３，１４どうしを互いに対向させる。そして、これら両半部１３，１４を例えば圧入や溶接によって分離できないように結合させる。これら両半部１３，１４どうしが結合することによって、カラー７が形成され、トルクネジ１１の組立が終了する。
【００２９】
このトルクネジ１１は、図６に示すように、例えば屋外通信機器（図示せず）の取付用ボード２１に挿通され、支持部材２２に螺着される。前記取付用ボード２１には、トルクネジ１１の雄ねじ３と螺合するねじ孔２３が形成されているとともに、支持部材２２に接続するための取付金具２４が取付けられている。この取付金具２４には、前記雄ねじ３が挿通される貫通孔２５が穿設されている。
【００３０】
取付用ボード２１には、図６（Ａ）に示すように、支持部材２２に取付ける以前に予めトルクネジ１１が装着されている。このトルクネジ１１は、雄ねじ３が取付用ボード２１から突出して軸部４の相対的に径が細い部分がねじ孔２３を挿通する状態で取付用ボード２１に保持されている。
前記取付用ボード２１を支持部材２２に取付けるためには、トルクネジ１１の雄ねじ３を前記取付金具２４の貫通孔２５内に挿通させ、支持部材２２のねじ孔２６に螺着させることによって行う。この締め付け作業は、トルクネジ１１の頭部２に係合させたプラスドライバー（図示せず）を回すことによって行う。
【００３１】
このトルクネジ１１が支持部材２２のねじ孔２６に締め込まれると、図６（Ｂ）に示したように、カラー７が頭部２と前記取付用ボード２１とによって挟まれる。このようにカラー７が前記両者に挟まれた状態でトルクネジ１１をさらに締め込むと、カラー７と取付用ボード２１との摩擦によりカラー７の回転が規制され、カラー７に対して軸部４が回転するようになる。
【００３２】
軸部４がカラー７に対して回転すると、図４（Ａ）および図５（Ａ）に示すように、カラー７に二つ設けられている係合片８，８のうち、一方の係合片８に前記押圧子５が当たる。これらの図においては、トルクネジ１１を締め込むときの回転方向を矢印Ａで示す。押圧子５が係合片８に当接している状態からさらにトルクネジ１１を締め込むと、押圧子５が前記係合片８を弾性変形させて押し退け、図４（Ｂ）および図５（Ｂ）に示すように、この係合片８を越えて反対側に移動する。このとき、このトルクネジ１１を締め込んでいた作業者は、トルクネジ１１から受ける反力が急激に変化するために、いわゆるクリック感を感じる。
【００３３】
このため、この実施例においても、締め付けトルクが所定値に達したときに作業者に上記クリック感を与えることができるから、締め付けトルクが所定値に達して締結が完了したことを認識させることができ、締め付けトルクを管理することができるようになる。
また、上記クリック感を作業者に与えるに当たっては、押圧子５が予め形成されている軸部４にカラー７を装着するだけで安価に実現することができる。さらに、前記頭部２は、プラスドライバーを直接係合させることができるものである。
【００３４】
したがって、この実施例においても、締め付けトルクを管理することが可能な構造を採っているにもかかわらず、安価で、一般的なドライバなどの手工具を用いて締結することが可能なトルクネジを提供することができる。
【００３５】
図４（Ｂ）および図５（Ｂ）に示す状態からさらにトルクネジ１１を締め込むと、他方の押圧子５が他方の係合片８を押し退けて反対側に移動することになり、作業者が再びクリック感を感じることになる。このため、作業者にクリック感を連続して与えることができるから、締結の完了を確実に認識させることができる。
【００３６】
この実施例に示すトルクネジ１１は、押圧子５が係合片８を越えて反対側に移動している締結状態においては、雄ねじ３が緩むことを阻止することができる。これは、雄ねじ３が緩む方向への押圧子５の移動が係合片８によって規制されるからである。
【００３７】
この実施例による前記カラー７は、押圧子収容用の環状の空間６を形成する筒状壁７ｂ（外壁１５，１６）を備えている。また、前記係合片８は、前記筒状壁７ｂから径方向の内側に延在する板状に形成され、かつ前記筒状壁７ｂに一体に形成されている。
このため、この実施例によれば、弾性変形する係合片８を筒状壁７ｂによって強固に支持することができるから、着脱を繰り返すような場合であっても係合片８が破損することがない。
【００３８】
また、この実施例による前記カラー７は、前記軸部４の径方向に分割形成された第１、第２の半部１３，１４どうしを結合させることによって構成されている。このため、係合片８を内部に有するカラー７を簡単に形成することができるから、カラー７の製造がより一層簡単になる。
上述した実施例においては、頭部２にプラスドライバーが係合する係合溝１２を形成する例を示したが、本発明はこのような限定にとらわれることはなく、頭部２は、その他の手工具が係合、あるいは嵌合する形状に形成することができる。
【符号の説明】
【００３９】
１…ボルト、２…頭部、３…雄ねじ、４…軸部、５…押圧子、５ａ…回転軌跡、７…カラー、７ａ…受圧部、７ｂ…筒状壁、８…係合片、１１…トルクネジ、１２…係合溝、１３…第１の半部、１４…第２の半部、１５，１６…外壁  １７，１８…蓋体。
【図１】
2011117535.tif 000003
【図２】
2011117535.tif 000004
【図３】
2011117535.tif 000005
【図４】
2011117535.tif 000006
【図５】
2011117535.tif 000007
【図６】
2011117535.tif 000008